(57)【要約】【課題】車両用灯具に働く外力により、レンズの脚部は灯具ボディの溝部より離れる方向に動くときに、レンズの脚部の端面部と側面部の境界付近でシール材を異なる方向に引っ張りあい、シール材の伸び代が足りず、レンズの脚部よりシール材が剥離することがあった。【解決手段】灯具ボディ１の溝部１１に凹部１４を設けることで、レンズ２の脚部２１の端面部２２と側面部２３の境界付近でシール材３を異なる方向に引っ張りあっても、シール材３の伸び代を凹部１４で十分に確保することができ、レンズ２の脚部２１からのシール材３の剥離を防ぐことができる。【選択図】図２
2018113195.tif 000002
【特許請求の範囲】
【請求項１】
灯具本体に設けられ前方に光を発する光源と、前記光源の前方を覆い装着用脚部を有するレンズ構成体と、前記灯具本体に設けられ前記装着用脚部が挿入される溝部とを備え、前記溝部に充填されるシール材によって前記装着用脚部を前記溝部に結合することにより前記レンズ構成体を前記灯具本体に装着するものであって、前記装着用脚部の端面部および前記溝部の底面部の少なくとも一方に設けられた変形部分により形成され前記装着用脚部への外力の印加による前記シール材の伸縮作用を緩和するシール材充填領域を設定したことを特徴とする車両用灯具。
【請求項２】
前記溝部の底面部に前記シール材が充填される凹部を設けて前記シール材充填領域を設定したことを特徴とする請求項１に記載の車両用灯具。
【請求項３】
前記装着用脚部の端面部に凸部を設けるとともに、前記凸部を前記溝部の底面部と当接することにより前記シール材充填領域を設定したことを特徴とする請求項１に記載の車両用灯具。
【請求項４】
前記装着用脚部の先端部分に凸部を設けるとともに、前記凸部の先端を鋭角状にして前記シール材充填領域を設定したことを特徴とする請求項１に記載の車両用灯具。
【請求項５】
前記溝部の底面部における断面を半円状にするとともに、前記装着用脚部の先端部分を前記溝部の底面部に対応して断面を半円状とすることにより前記シール材充填領域を設定したことを特徴とする請求項１に記載の車両用灯具。
【請求項６】
前記装着用脚部の先端部分を幅広にすることにより前記装着用脚部の先端部分と前記溝部の底面部との間に前記シール材充填領域を設定したことを特徴とする請求項１に記載の車両用灯具。
【請求項７】
前記装着用脚部に形成した幅広の先端部の側面にスリットを形成して前記シール材が前記スリットに充填されるように構成したことを特徴とする請求項６に記載の車両用灯具。
【請求項８】
前記シール材はホットメルトであることを特徴とする請求項１から請求項７までのいずれかに記載の車両用灯具。
【発明の詳細な説明】
【技術分野】
【０００１】
この発明は、ヘッドランプ等の車両用灯具に関するもので、特に、灯具ボディの溝部とレンズの脚部をシール材で接着し、シール性を確保した車両用灯具に関するものである。
【背景技術】
【０００２】
従来の車両用灯具は、特許文献１に示されるように、灯具ボディに形成した溝部とレンズの脚部との間に塗布されたシール材によってシール性を確保している。
【先行技術文献】
【特許文献】
【０００３】
【特許文献１】実開昭５８−１６０４０２号公報（図２、図４、図５）
【発明の概要】
【発明が解決しようとする課題】
【０００４】
車両用灯具に働く外力により、レンズの脚部は灯具ボディの溝部より離れる方向に動くとレンズの脚部の端面部と側面部のシール材が伸びる。シール材が伸びるときに、レンズの脚部の端面部と側面部それぞれのシール材の中間層が収縮し、端面部と側面部の境界付近でシール材の中間層を異なる二方向に引っ張りあう。レンズの脚部の端面部と側面部は異なる二方向に引っ張りあうため、シール材の伸び代が足りず、端面部からシール材の剥離が起こる。長期間使用していくと、シール材の剥離した箇所が徐々に広がり、車両用灯具のシール性を確保することが困難になるという問題があった。
【課題を解決するための手段】
【０００５】
この発明の車両用灯具は、灯具本体に設けられ前方に光を発する光源と、前記光源の前方を覆い装着用脚部を有するレンズ構成体と、前記灯具本体に設けられ前記装着用脚部が挿入される溝部とを備え、前記溝部に充填されるシール材によって前記装着用脚部を前記溝部に結合することにより前記レンズ構成体を前記灯具本体に装着するものであって、前記装着用脚部の端面部および前記溝部の底面部の少なくとも一方に設けられた変形部分により形成され前記装着用脚部への外力の印加による前記シール材の伸縮作用を緩和するシール材充填領域を設定したものである。
【発明の効果】
【０００６】
この発明によれば、レンズ構成体に設けた装着用脚部への外力の印加によるシール材の伸縮作用を緩和することにより灯具本体とレンズ構成体のシール性を確保することができる。
【図面の簡単な説明】
【０００７】
【図１】本発明に係る実施の形態１による車両用灯具の構成を概略的に示す断面図である。
【図２】本発明に係る実施の形態１による灯具ボディの溝部とレンズの脚部の構成を示す断面図である。
【図３】一般的な車両用灯具の溝部とレンズの脚部の構成を示す断面図である。
【図４】本発明に係る実施の形態２による灯具ボディの溝部とレンズの脚部の構成を示す断面図である。
【図５】本発明に係る実施の形態２の変形例１による灯具ボディの溝部とレンズの脚部の変形例の構成を示す断面図である。
【図６】本発明に係る実施の形態２の変形例２による灯具ボディの溝部とレンズの脚部の変形例の構成を示す断面図である。
【図７】本発明に係る実施の形態２の変形例３による灯具ボディの溝部とレンズの脚部の変形例の構成を示す断面図である。
【図８】本発明に係る実施の形態３による灯具ボディの溝部とレンズの脚部の構成を示す断面図である。
【図９】本発明に係る実施の形態４による灯具ボディの溝部とレンズの脚部の構成を示す断面図である。
【図１０】本発明に係る実施の形態５による斜視図および断面図で、第１０図（ａ）はレンズの脚部を示す斜視図、図１０（ｂ）は灯具ボディの溝部とレンズの脚部の構成を示す断面図である。
【発明を実施するための形態】
【０００８】
実施の形態１．
本発明に係る実施の形態１を図１から図３までについて説明する。図１は実施の形態１による車両用灯具の構成を概略的に示す断面図である。図２は実施の形態１による灯具ボディの溝部とレンズの脚部の構成を示す断面図である。図３は一般的な車両用灯具の溝部とレンズの脚部の構成を示す断面図である。
【０００９】
図１において、車両用灯具１００は、光源４、光源４を制御する電子部品５、光源４の発生させた光を調整する光学装置６を収納した灯具ボディ１と、灯具ボディ１に装着されるレンズ２により構成されている。
灯具ボディ１およびレンズ２の材料は、塩化ビニル樹脂、ポリスチレン樹脂、ＡＢＳ樹脂、ポリエチレン樹脂、ポリプロピレン樹脂、ナイロン樹脂、アクリル樹脂、フッ素樹脂、ポリカーボネード、メチルペンテン樹脂、ポリウレタン、フェノール樹脂、メラミン樹脂、エポキシ樹脂を使用することができる。車載用の電子機器として使用する場合には、−３５℃〜８５℃の間で高い耐久性を持つ材料が必要である。加熱を伴って低分子シロキサンを発生する樹脂の場合には、事前に１５０℃で１時間程度加熱して十分に低分子シロキサンを除去することが望ましい。
【００１０】
シール材３の材料は、ホットメルトを用いることが好ましい。ホットメルトとは、たとえば、ゴムおよび合成樹脂系の熱可塑性物質を主成分とした１００％固形分の無溶剤の接着材を指す。
【００１１】
前述の通り、従来の装置においては車両用灯具のシール性を確保することが困難であった。車両用灯具の図３に示す一般的な車両用灯具では、車両用灯具に働く外力により、レンズ２の脚部２１は灯具ボディ１の溝部１１より離れる方向に動くとレンズ２の脚部２１の端面部２２と側面部２３のシール材３が伸びる。シール材３が伸びるときに、レンズ２の脚部２１の端面部２２と側面部２３それぞれのシール材３の中間層が収縮し、端面部２２と側面部２３の境界付近でシール材３の中間層を異なる二方向に引っ張りあう。レンズ２の脚部２１の端面部２２と側面部２３は異なる二方向に引っ張りあうため、シール材３の伸び代が足りず、端面部２２からシール材３の剥離が起こる。長期間使用していくと、シール材３の剥離した箇所が徐々に広がり、車両用灯具のシール性を確保することが困難になるという問題があった。
【００１２】
この点について、一般的な車両用灯具１００の構造を示す図３を用いて詳細に説明する。車両用灯具は、灯具用ボディ１とレンズ２がシール材３を介して結合されている。
従来の構造のシール材３の接着状態の推移を下記に示す。従来の構造では、車両用灯具１００に外力が働くことにより、レンズ２の脚部２１は灯具ボディ１の溝部１１から離れる方向に動き、灯具ボディ１の溝部１１の底面部１２とレンズ２の脚部２１の端面部２２と灯具ボディ１の溝部１１の側面部１３とレンズ２の脚部２１の側面部２３の間にあるシール材３の中間層が収縮する。
それぞれのシール材３の中間層が収縮すると、灯具ボディ１の溝部１１の底面部１２とレンズ２の脚部２１の端面部２２、灯具ボディ１の溝部１１と側面部１３とレンズ２の脚部２１の側面部２３のシール材３の境界付近で、シール材３の中間層を異なる二方向に引っ張りあうことになる。
【００１３】
一方向で引っ張られたときは、シール材３は、伸び方向に対して法線方向に収縮することにより伸びるが、異なる二方向で引っ張りあうと、法線方向に収縮していた箇所が伸びるため、同一方向に伸びる量が一方向に引っ張られるときよりも少なくなる。
上記のようにシール材３が異なる二方向に引っ張りあうことによりシール材３の伸び代が足りなくなると、接着力が大きい方にシール材３が引き寄せられる。そのため、接着面積が小さいレンズ２の脚部２１の端面部２２のシール材３が側面部２３のシール材３に引き寄せられることにより、脚部２１の端面部２２からシール材３の剥離が起こることになる。
【００１４】
車両用灯具１００に働く外力がなくなると、灯具ボディ１の溝部１１とレンズ２の脚部２１は元の位置に戻り、灯具ボディ１の溝部１１の底面部１２とレンズ２の脚部２１の端面部２２のシール材３が剥離している箇所は密着するが、外力が働く前の接着状態に戻ることはない。
再び、車両用灯具１００に外力が働くと、レンズ２の脚部２１は灯具ボディ１の溝部１１より離れる方向に動き、レンズ２の脚部２１の端面部２２よりシール材３が剥離する。
このように、車両用灯具１００に働く外力により、灯具ボディ１の溝部１１とレンズ２の脚部２１のシール材３は剥離と密着を繰り返すことになり、レンズ２の脚部２１の端面部２２からシール材３の剥離した箇所が徐々に広がり、車両用灯具１００のシール性を確保することが困難になる。
【００１５】
図２は実施の形態１における車両用灯具の灯具ボディ１とレンズ２の結合部を示す断面図で、溝部１１は灯具ボディ１の外周部の全周に形成されている。脚部２１はレンズ２の外周部の全周に形成されている。灯具ボディ１はレンズ２が装着される開口を持つ箱状体からなり、その開口周縁部１ａの各辺において開口周縁部１ａの延在方向に沿い延在して溝部１１が開口周縁部１ａの端面に設けられるものである。灯具ボディ１における開口周縁部１ａの各辺において溝部１１にレンズ２の脚部２１が挿入される。図２は溝部１１の延在方向と直角方向の横断面における溝部１１と脚部２１との結合関係を示すものである。
灯具ボディ１の外周部に形成されている溝部１１の底面部１２の全周にシール材３を塗布する。シール材３を塗布した灯具ボディ１の溝部１１にレンズ２の脚部２１を挿入する。その結果、溝部１１と脚部２１との間にシール材３が充填された状態で溝部１１と脚部２１とが結合される。溝部１１を有する灯具ボディ１および脚部２１を有するレンズ２は、溝部１１の側面部１３と脚部２１の側面部２３との間、および、溝部１１の底面部１２と脚部２１の端面部２２との間に、それぞれ溝部１１と脚部２１との結合を確保するのに充分なシール材充填間隙が存在するように構成され、このシール材充填間隙に充填されるシール材３によってシール性が確保される。
溝部１１に脚部２１を挿入することにより、溝部１１の凹部１４および溝部１１と脚部２１の間にシール材３が回り込む。溝部１１の凹部１４はシール材充填領域ＳＲを形成するものであり、溝部１１の凹部１４にシール材３が回り込むことにより、溝部１１の凹部１４でシール材３の伸び代を確保することができる。
【００１６】
上記の車両用灯具１００に、何らかの外力が働き、灯具ボディ１の溝部１１とレンズ２の脚部２１が離れる方向に動くと、レンズ２の脚部２１の端面部２２と側面部２３に接着しているシール材３は溝部１１と脚部２１が離れる方向に伸びる。シール材３が伸びるとき、灯具ボディ１の溝部１１の底面部１２とレンズ２の脚部２１の端面部２２と灯具ボディ１の溝部１１の側面部１３とレンズ２の脚部２１の側面部２３の間にあるシール材３の中間層が収縮する。
それぞれのシール材３の中間層が収縮すると、灯具ボディ１の溝部１１の底面部１２とレンズ２の脚部２１の端面部２２、灯具ボディ１の溝部１１と側面部１３とレンズ２の脚部２１の側面部２３のシール材３の境界付近で、シール材３の中間層を異なる二方向に引っ張りあう。
【００１７】
従来の構造では、上記の境界のシール材３の伸び代が足らず、シール材３はレンズ２の脚部２１の端面部２２から剥離するが、灯具ボディ１の溝部１１にシール材充填領域ＳＲを形成する凹部１４を設けることで、上記の境界のシール材３の伸び代を確保することができるため、レンズ２の脚部２１の端面部２２からシール材３が剥離することなく、灯具ボディ１の溝部１１よりレンズ２の脚部２１が離れる動きにシール材３が追従することができる。
上記のような構成によって、灯具ボディ１の溝部１１とレンズ２の脚部２１をシール材３により接着することにより、車両用灯具１００のシール性を確保することができる。
【００１８】
この発明に係る実施の形態１では、図１および図２に示すように、前方に開口を有する箱状体で形成される灯具ボディ１からなる灯具本体に設けられ前方に光を発する光源４と、前記光源４の前方を覆い装着用脚部２１を有するレンズ２からなるレンズ構成体と、前記灯具ボディ１からなる灯具本体の開口周縁部に沿い延在して設けられ前記装着用脚部２１が挿入される溝部１１とを備え、前記溝部１１に充填されるシール材３によって前記装着用脚部２１を前記溝部１１に接着結合することにより前記レンズ２からなるレンズ構成体を前記灯具本体に装着するものにおいて、前記装着用脚部２１の先端部分における端面部２２および前記溝部１１の底面部１２の少なくとも一方に設けられた変形部分により形成され前記装着用脚部２１への外力の印加による前記シール材３の伸縮作用を緩和するシール材充填領域ＳＲを設定したものであって、前記シール材充填領域ＳＲは前記装着用脚部２１と前記溝部１１との間のシール材３の容積に応じた容積を有するものであり、前記溝部１１の底面部１２に前記シール材３が充填される凹部１４を設けて前記シール材充填領域ＳＲを設定したことを特徴とする。このシール材充填領域ＳＲは溝部１１の延在方向に延在し横断面が四角形の角棒状形成体を構成するものである。凹部１４は装着用脚部２１の側面部２３と溝部１１の側面部１３との間に充填されるシール材３に対応して設けられる。シール材充填領域ＳＲにおける角棒状形成体の厚さを示す図示横方向の幅寸法は装着用脚部２１の側面部２３と溝部１１の側面部１３との間の間隔寸法であるシール材充填間隙に相当するものであり、シール材充填領域ＳＲにおける角棒状形成体の厚さを示す図示縦方向の深さ寸法は装着用脚部２１の端面部２２と溝部１１の底面部１２との間の間隔寸法であるシール材充填間隙に相当する。シール材充填領域ＳＲにおける角棒状形成体の前記厚さ寸法より格段に小さい凹凸やリブが溝部に形成されていても、上述したシール材の伸縮作用の緩和効果は奏し得ないものである。
この構成により、灯具ボディ１からなる灯具本体の溝部１１に横断面が四角形の角棒状形成体を構成するシール材充填領域ＳＲを設定する凹部１４を設けることで、装着用脚部２１の端面部２２と側面部２３の境界付近でシール材３を異なる二方向に引っ張りあう領域の伸び代を確保する。灯具本体の溝部１１にシール材３の伸び代を確保することにより、灯具本体の溝部１１とレンズ構成体の装着用脚部２１が大きく離れてもシール材３がレンズ構成体の脚部２１の動きに追従することができ、レンズ構成体の装着用脚部２１からのシール材３の剥離を防ぐ。レンズ構成体の装着用脚部２１からのシール材の剥離を防ぐことにより、灯具本体の溝部１１とレンズ構成体の装着用脚部２１が大きく離れても、レンズ構成体の装着用脚部２１の動きにシール材３が追従することができ、レンズ構成体に設けた装着用脚部２１への外力の印加によるシール材３の伸縮作用を緩和することにより灯具ボディ１からなる灯具本体とレンズ２からなるレンズ構成体のシール性を確保することができる。
【００１９】
また、この発明に係る実施の形態１では、前項の構成において、前記シール材３はホットメルトであることを特徴とする。
この構成により、灯具本体へのレンズ構成体の装着作業に際し、ホットメルトからなるシール材３を高温で溶融した状態で灯具本体の溝部１１に塗布してレンズ２からなるレンズ構成体の脚部２１を溝部１１に挿入し圧着することにより、数分で迅速に接着結合を完了でき、作業の迅速化を達成することができる。
【００２０】
実施の形態２．
本発明に係る実施の形態２を図４から図７までについて説明する。図４は実施の形態２における灯具ボディの溝部とレンズの脚部の構成を示す断面図である。図５は実施の形態２における変形例１による灯具ボディの溝部とレンズの脚部に関する変形例の構成を示す断面図である。図６は実施の形態２における変形例２による灯具ボディの溝部とレンズの脚部に関する変形例の構成を示す断面図である。図７は実施の形態２における変形例３による灯具ボディの溝部とレンズの脚部に関する変形例の構成を示す断面図である。
【００２１】
実施の形態２では、図４のように、レンズ２の脚部２１の凸部２４を灯具ボディ１の溝部１１の底面部１２に接触するまで押し込むことにより、灯具ボディ１の溝部１１とレンズ２の脚部２１の間に回り込んでいるシール材３を、灯具ボディ１の溝部１１の底面部１２とレンズ２の脚部２１の端面部２２で囲まれる範囲と、灯具ボディ１の溝部１１の側面部１３とレンズ２の脚部２１の側面部２３を接着する範囲とに分割する。
【００２２】
このように、レンズ２の脚部２１の両側に設けた凸部２４，２４によりシール材３で接着する範囲を分割することにより、レンズ２の脚部２１の端面部２２における凸部２４，２４の間でシール材充填領域ＳＲが設定され、灯具ボディ１の溝部１１の底面部１２とレンズ２の脚部２１の端面部２２、灯具ボディ１の溝部１１の側面部１３とレンズ２の脚部２１の側面部２３を接着するシール材３は、上記の範囲内で独立して動くことができる。
シール材３が独立して動けるため、灯具ボディ１の溝部１１の底面部１２とレンズ２の脚部２１の端面部２２、灯具ボディ１の溝部１１と側面部１３とレンズ２の脚部２１の側面部２３のシール材３の境界付近でシール材３を異なる二方向に引っ張りあうことがなくなり、灯具ボディ１の溝部１１よりレンズ２の脚部２１が離れる動きの一方向にのみシール材３が引っ張られることになるため、レンズ２の脚部２１からのシール材３の剥離を防ぐことができる。
【００２３】
図５から図７までは、実施の形態２の変形例を示す図で、レンズ２の脚部２１の凸部２４の変形例を示す。図４では、脚部２１の凸部２４，２４は、外側が真っ直ぐで内側が斜めになって脚部２４の端面部２２が台形の形になっていて凸部２４，２４の間でシール材充填領域ＳＲが設定されているが、図５（変形例１）では、脚部２１の凸部２４は、外側が斜めで内側が真っ直ぐになって脚部２４の端面部２２が四角形の形になっていて凸部２４，２４の間でシール材充填領域ＳＲが設定されている。
【００２４】
また、図６（変形例２）では、脚部２１の凸部２４は、外側、内側とも斜めになっている。図７（変形例３）では、脚部２４の凸部２４は、片側のみに形成されていて、凸部２４の内側と溝部１１の側面部１３との間でシール材充填領域ＳＲが設定されている。
いずれの変形例でも、図２と同様に、シール材３が独立して動けるため、灯具ボディ１の溝部１１の底面部１２とレンズ２の脚部２１の端面部２２、灯具ボディ１の溝部１１と側面部１３とレンズ２の脚部２１の側面部２３のシール材３の境界付近でシール材３を異なる二方向に引っ張りあうことがなくなる。
【００２５】
この発明に係る実施の形態２では、図１および図４に示す通り、前方に開口部を有する箱体で形成される灯具ボディ１からなる灯具本体に設けられ前方に光を発する光源４と、前記光源４の前方を覆い装着用脚部２１を有するレンズ２からなるレンズ構成体と、前記灯具ボディ１からなる灯具本体の開口部周縁に沿い延在して設けられ前記装着用脚部２１が挿入される溝部１１とを備え、前記溝部１１に充填されるシール材３によって前記装着用脚部２１を前記溝部１１に接着結合することにより前記レンズ２からなるレンズ構成体を前記灯具本体に装着するものにおいて、前記装着用脚部２１の先端部分における端面部２２および前記溝部１１の底面部１２の少なくとも一方に設けられた変形部分により形成され前記装着用脚部２１への外力の印加による前記シール材３の伸縮作用を緩和するシール材充填領域ＳＲを設定したものであって、前記シール材充填領域ＳＲは前記装着用脚部２１と前記溝部１１との間のシール材３の容積に応じた容積を有するものであり、前記装着用脚２１の先端部分における端面部２２に凸部２４を設けるとともに、前記凸部２４を前記溝部１１の底面部１２と当接することにより前記シール材充填領域ＳＲを設定し溝部１１の底面部１２と脚部２１の端面部２２との間に充填されたシール材３を分割したことを特徴とする。このシール材充填領域ＳＲは溝部１１の延在方向に延在し横断面が四角形または台形の角棒状形成体を形成するものである。シール材充填領域ＳＲにおける角棒状形成体の厚さを示す図示横方向の幅寸法は装着用脚部２１の側面部２３と溝部１１の側面部１３との間の間隔寸法であるシール材充填間隙に相当するものであり、シール材充填領域ＳＲにおける角棒状形成体の厚さを示す図示縦方向の深さ寸法は装着用脚部２１の端面部２２と溝部１１の底面部１２との間の間隔寸法であるシール材充填間隙に相当する。シール材充填領域ＳＲにおける角棒状形成体の前記厚さ寸法より格段に小さい凹凸やリブが溝部に形成されていても、上述したシール材の伸縮作用の緩和効果は奏し得ないものである。凸部２４は対をなして設けられ、それぞれ外側面を装着用脚部２１における側面部２３の外表面と一致させてその垂直延在方向に配設され、それぞれの内側面は凸部２４が先細状になるように傾斜して形成されている。
この構成により、灯具ボディ１からなる灯具本体の溝部１１に横断面が台形の角棒状形成体を構成するシール材充填領域ＳＲを設定する凸部２４，２４を設けて溝部１１の底面部１２と脚部２１の端面部２２との間に充填されたシール材３を分割することで、レンズ構成体の装着用脚部２１からのシール材３の剥離を防ぐことにより、灯具本体の溝部１１とレンズ構成体の装着用脚部２１が大きく離れても、レンズ構成体の装着用脚部２１の動きにシール材３が追従することができ、レンズ構成体に設けた装着用脚部２１への外力の印加によるシール材３の伸縮作用を緩和することにより灯具ボディ１からなる灯具本体とレンズ２からなるレンズ構成体のシール性を確保することができる。
【００２６】
また、この発明に係る実施の形態２における変形例１では、図５に示す通り、凸部２４は対をなして設けられ、それぞれ内側面を装着用脚部２１における側面部２３の外表面と平行して配設され、それぞれの外側面は凸部２４が先細状になるように装着用脚部２１における側面部２３の外表面を起点として傾斜して形成されている。
この構成により、前記装着用脚２１の先端部分における端面部２２に内側面を先細状に傾斜した一対の凸部２４，２４を設けるとともに、前記凸部２４，２４を前記溝部１１の底面部１２と当接し、灯具ボディ１からなる灯具本体の溝部１１に横断面が四角形の角棒状形成体を構成するシール材充填領域ＳＲを設定して溝部１１の底面部１２と脚部２１の端面部２２との間に充填されたシール材３を分割することで、レンズ構成体の装着用脚部２１からのシール材３の剥離を防ぐことにより、灯具本体の溝部１１とレンズ構成体の装着用脚部２１が大きく離れても、レンズ構成体の装着用脚部２１の動きにシール材３が追従することができ、レンズ構成体に設けた装着用脚部２１への外力の印加によるシール材３の伸縮作用を緩和することにより灯具ボディ１からなる灯具本体とレンズ２からなるレンズ構成体のシール性を確保することができる。
【００２７】
ざらに、この発明に係る実施の形態２における変形例２では、図６に示す通り、凸部２４は対をなして端部２１の端面部２２における両側端に設けられ、それぞれの内側面および外側面は凸部２４が先細状になるように傾斜して形成されている。
この構成により、装着用脚２１の先端部分における端面部２２に内側面および外側面を先細状に傾斜した一対の凸部２４，２４を設けるとともに、前記凸部２４，２４を前記溝部１１の底面部１２と当接し、灯具ボディ１からなる灯具本体の溝部１１に横断面が台形の角棒状形成体を構成するシール材充填領域ＳＲを設定して溝部１１の底面部１２と脚部２１の端面部２２との間に充填されたシール材３を分割することで、レンズ構成体の装着用脚部２１からのシール材３の剥離を防ぐことにより、灯具本体の溝部１１とレンズ構成体の装着用脚部２１が大きく離れても、レンズ構成体の装着用脚部２１の動きにシール材が追従することができ、レンズ構成体に設けた装着用脚部への外力の印加によるシール材の伸縮作用を緩和することにより灯具ボディ１からなる灯具本体とレンズ２からなるレンズ構成体のシール性を確保することができる。
【００２８】
そして、この発明に係る実施の形態２における変形例３では、図１および図７に示す通り、凸部２４は外側面を装着用脚部２１における側面部２３の外表面と一致して装着用脚部２１における側面部２３の延在方向に延在して一個所に設けられているものであり、内側面は凸部２４が先細状になるように傾斜して形成されている。
この構成により、装着用脚部２１の先端部分における端面部２２に内側面を先細状に傾斜した凸部２４を設けるとともに、前記凸部２４を溝部１１の底面部１２と当接し、灯具ボディ１からなる灯具本体の溝部１１に横断面が台形の角棒状形成体を構成するシール材充填領域ＳＲを設定することで、レンズ構成体の装着用脚部２１からのシール材３の剥離を防ぐことにより、灯具本体の溝部１１とレンズ構成体の装着用脚部２１が大きく離れても、レンズ構成体の装着用脚部２１の動きにシール材３が追従することができ、レンズ構成体に設けた装着用脚部２１への外力の印加によるシール材３の伸縮作用を緩和することにより灯具ボディ１からなる灯具本体とレンズ２からなるレンズ構成体のシール性を確保することができる。
【００２９】
実施の形態３．
本発明に係る実施の形態３を図８について説明する。図８は実施の形態３における灯具ボディの溝部とレンズの脚部の構成を示す断面図である。
【００３０】
実施の形態３では、図８のように、レンズ２の装着用脚部２１の端面部２２に相当する面積を極力小さくし、灯具ボディ１の溝部１１の側面部１３とレンズ２の脚部２１の側面部２３の接着面で、灯具ボディ１の溝部１１とレンズ２の装着用脚部２を接着する。装着用脚部２１の先端部分に凸部を設けその先端を鋭角状にして前記凸部の形状に対応し溝部１１の断面をＶ状とすることにより横断面がＶ形状をなすシール材充填領域ＳＲを設定するものである。
レンズ２の脚部２１の先端部分における面積を極力小さくすることにより、脚部２１の端面部２２に相当する面積が側面部２３より大幅に小さくなるため、灯具ボディ１の溝部１１の底面部１２とレンズ２の脚部２１の端面部２２、灯具ボディ１の溝部１１の側面部１３とレンズ２の脚部２１の側面部２３の境界付近でシール材を異なる二方向に引っ張りあうことはなくなり、灯具ボディ１の溝部１１よりレンズ２の脚部２１が離れる動きの一方向のみにシール材３が引っ張られる。
【００３１】
以上のように、この発明の実施の形態３によれば、シール材３が一方向のみに引っ張られるため、レンズ２の脚部２１の動きに対して、シール材３は追従することができ、レンズ２の脚部２１からのシール材３の剥離を防ぐことができる。
【００３２】
この発明に係る実施の形態３では、図１および図８に示す通り、前方に開口部を有する箱体で形成される灯具ボディ１からなる灯具本体に設けられ前方に光を発する光源４と、前記光源４の前方を覆い装着用脚部２１を有するレンズ２からなるレンズ構成体と、前記灯具ボディ１からなる灯具本体の開口部周縁に沿い延在して設けられ前記装着用脚部２１が挿入される溝部１１とを備え、前記溝部１１に充填されるシール材３によって前記装着用脚部２１を前記溝部１１に接着結合することにより前記レンズ２からなるレンズ構成体を前記灯具本体に装着するものにおいて、前記装着用脚部２１の先端部分における端面部２２および前記溝部１１の底面部１２の少なくとも一方に設けられた変形部分により形成され前記装着用脚部２１への外力の印加による前記シール材３の伸縮作用を緩和するシール材充填領域ＳＲを設定したものであって、前記シール材充填領域ＳＲは前記装着用脚部２１と前記溝部１１との間のシール材３の容積に応じた容積を有するものであり、前記装着用脚部２１の先端部分に凸部を設けるとともに、前記凸部の先端を鋭角状にし、前記凸部の形状に対応して溝部１１の断面をＶ形状にすることにより、前記シール材充填領域ＳＲを設定したことを特徴とする。このシール材充填領域ＳＲは溝部１１の延在方向に延在し横断面がＶ形状を示す樋状形成体を形成するものである。シール材充填領域ＳＲにおける樋状形成体の厚さを示す図示横方向の幅寸法は装着用脚部２１の側面と溝部１１の側面との間の間隔寸法であるシール材充填間隙に相当するものである。シール材充填領域ＳＲにおける樋状形成体の前記厚さ寸法より格段に小さい凹凸やリブが溝部に形成されていても、上述したシール材の伸縮作用の緩和効果は奏し得ないものである。
この構成により、装着用脚部２１の先端部分に溝部１１の延在方向に延在し横断面がＶ形状を示す樋状形成体を形成するシール材充填領域ＳＲを設定することで、レンズ２からなるレンズ構成体の装着用脚部２１からのシール材３の剥離を防ぐことにより、灯具ボディ１からなる灯具本体の溝部１１とレンズ構成体の装着用脚部２１が大きく離れても、レンズ構成体の装着用脚部２１の動きにシール材３が追従することができ、レンズ構成体に設けた装着用脚部２１への外力の印加によるシール材３の伸縮作用を緩和することにより灯具ボディ１からなる灯具本体とレンズ２からなるレンズ構成体のシール性を確保することができる。
【００３３】
実施の形態４．
本発明に係る実施の形態４を図９について説明する。図９は実施の形態４における灯具ボディの溝部とレンズの脚部の構成を示す断面図である。
【００３４】
実施の形態４では、図９のように、灯具ボディ１の溝部１１の底面部１２とレンズ２の装着用脚部２１の端面部２２を半円状にする。溝部１１の底面部１２における断面を半円状にするとともに、装着用脚部２１の先端部分を前記溝部の底面部に対応して断面を半円状とすることにより横断面が半円環状のシール材充填領域ＳＲを設定するものである。
灯具ボディ１の溝部１１にレンズ２の脚部２を挿入した際は、灯具ボディ１の溝部１１の底面部１２とレンズ２の脚部２１の端面部２２の半円状にのみシール材３が廻り込むようにする。
【００３５】
上記のように、灯具ボディ１の溝部１１の底面部１２とレンズ２の脚部２１の端面部２２の半円状の箇所にのみシール材３が回り込むようにすることにより、灯具ボディ１の溝部１１よりレンズ２の脚部２１が離れる動きに対して、灯具ボディ１の溝部１１の底面部１２とレンズ２の脚部２１の端面部２２、灯具ボディ１の溝部１１の側面部１３とレンズ２の脚部２１の側面部２３の境界付近でシール材を異なる二方向に引っ張りあうことはなくなり、シール材３は一方向のみに引っ張られる。
シール材３が一方向のみに引っ張られるため、レンズ２の脚部２１の動きに対して、シール材３は追従することができ、レンズ２の脚部２１からのシール材３の剥離を防ぐことができる。
【００３６】
この発明に係る実施の形態４では、図１および図９に示す通り、前方に開口部を有する箱体で形成される灯具ボディ１からなる灯具本体に設けられ前方に光を発する光源４と、前記光源４の前方を覆い装着用脚部２１を有するレンズ２からなるレンズ構成体と、前記灯具ボディ１からなる灯具本体の開口部周縁に沿い延在して設けられ前記装着用脚部２１が挿入される溝部１１とを備え、前記溝部１１に充填されるシール材３によって前記装着用脚部２１を前記溝部１１に接着結合することにより前記レンズ２からなるレンズ構成体を前記灯具本体に装着するものにおいて、前記装着用脚部２１の先端部分における端面部２２および前記溝部１１の底面部１２の少なくとも一方に設けられた変形部分により形成され前記装着用脚部２１への外力の印加による前記シール材３の伸縮作用を緩和するシール材充填領域ＳＲを設定したものであって、前記シール材充填領域ＳＲは前記装着用脚部２１と前記溝部１１との間のシール材３の容積に応じた容積を有するものであり、前記溝部１１の底面部１２における断面を半円状にするとともに、前記装着用脚２１の先端部分を前記溝部１１の底面部１２に対応して断面を半円状とすることにより前記シール材充填領域ＳＲを設定したことを特徴とする。このシール材充填領域ＳＲは溝部１１の延在方向に延在し横断面が半円形の樋状形成体を形成するものである。シール材充填領域ＳＲにおける角棒状形成体の厚さを示す図示横方向の幅寸法は装着用脚部２１の側面部２３と溝部１１の側面部１３との間の間隔寸法であるシール材充填間隙に相当するものである。シール材充填領域ＳＲにおける角棒状形成体の前記厚さ寸法より格段に小さい凹凸やリブが溝部に形成されていても、上述したシール材の伸縮作用の緩和効果は奏し得ないものである。
この構成により、装着用脚２１の先端部分を溝部１１の底面部１２に対応して断面を半円状とすることにより前記シール材充填領域ＳＲを設定することで、レンズ２からなるレンズ構成体の装着用脚部からのシール材の剥離を防ぐことにより、灯具本体の溝部１１とレンズ構成体の装着用脚部２１が大きく離れても、レンズ構成体の装着用脚部の動きにシール材３が追従することができ、レンズ構成体に設けた装着用脚部２１への外力の印加によるシール材３の伸縮作用を緩和することにより灯具ボディ１からなる灯具本体とレンズ２からなるレンズ構成体のシール性を確保することができる。
【００３７】
実施の形態５．
本発明に係る実施の形態５を図１０について説明する。図１０は実施の形態５による構成を示す斜視図および断面図で、図１０（ａ）はレンズの脚部を示す斜視図、図１０（ｂ）は灯具ボディの溝部とレンズの脚部の構成を示す断面図である。
【００３８】
実施の形態５では、図１０のように、レンズ２の脚部２１の先端部における端面部２２の面積を極端に大きくした幅広の変形部分を設けてシール材充填領域ＳＲを設定し、このシール材充填領域ＳＲが設けられた灯具ボディ１の溝１１の底面部１２とレンズ２の脚部２１の端面部２２の接着面で灯具ボディ１の溝部１１とレンズ２の脚部２１を接着し結合する。図１０（ａ）は溝部１１に沿って延在する脚部２１につき、その延在方向の所定部分を切り取って斜視表示したものである。
レンズ２の脚部２１の端面部２２の面積を大きくすることにより、脚部２１の端面部２２の面積が側面部２３より大幅に大きくなるため、灯具ボディ１の溝部１１の底面部１２とレンズ２の脚部２１の端面部２２、灯具ボディ１の溝部１１の側面部１３とレンズ２の脚部２１の側面部２３の境界付近でシール材を異なる二方向に引っ張りあうことはなくなり、灯具ボディ１の溝部１１よりレンズ２の脚部２１が離れる動きの一方向のみにシール材３が引っ張られる。
【００３９】
すなわち、レンズ２の脚部２１の端面部２２と側面部２３に接着しているシール材３の面積が端面部２２に対して側面部２３が極端に小さい場合は、灯具ボディ１の溝部１１の底面部１２とレンズ２の脚部２１の端面部２２のみで接着している状態になる。
そのため、シール材３はレンズ２の脚部２１の端面部２２と側面部２３の境界で異なる方向に引っ張りあうことはなく、一方向のみに引っ張られる。一方向のみに引っ張られるため、シール材３は伸びやすく、レンズ２の脚部２１の動きに対してシール材３は追従して、レンズ２の脚部２１からのシール材３の剥離を防ぐことができる。
【００４０】
また、レンズ２の脚部２１の端面部２２にスリット２５を設けることにより、灯具ボディ１にレンズ２を組み付けるときに、スリット２５からシール材３がはみ出るまでレンズ２を押し込むことにより、レンズ２の脚部２１の端面部２２にシール材３が確実に接着していることを確認することができる。
【００４１】
この発明に係る実施の形態５では、図１および図１０に示す通り、前方に開口部を有する箱体で形成される灯具ボディ１からなる灯具本体に設けられ前方に光を発する光源４と、前記光源４の前方を覆い装着用脚部２１を有するレンズ２からなるレンズ構成体と、前記灯具ボディ１からなる灯具本体の開口部周縁に沿い延在して設けられ前記装着用脚部２１が挿入される溝部１１とを備え、前記溝部１１に充填されるシール材３によって前記装着用脚部２１を前記溝部１１に接着結合することにより前記レンズ２からなるレンズ構成体を前記灯具本体に装着するものにおいて、前記装着用脚部２１の先端部分における端面部２２および前記溝部１１の底面部１２の少なくとも一方に設けられた変形部分により形成され前記装着用脚部２１への外力の印加による前記シール材３の伸縮作用を緩和するシール材充填領域ＳＲを設定したものであって、前記シール材充填領域ＳＲは前記装着用脚部２１と前記溝部１１との間のシール材３の容積に応じた容積を有するものであり、前記装着用脚２１の先端部分に設けた端面部２２を幅広にすることにより前記装着用脚部２１の先端部分と前記溝部１１の底面部分との間に前記シール材充填領域ＳＲを設定したことを特徴とする。このシール材充填領域ＳＲは溝部１１の延在方向に延在し横断面が四角形の角棒状形成体を形成するものである。シール材充填領域ＳＲにおける角棒状形成体の厚さを示す図示横方向の幅寸法は装着用脚部２１の側面と溝部１１の側面との間の 間隔寸法であるシール材充填間隙に相当するものであり、シール材充填領域ＳＲにおける角棒状形成体の厚さを示す図示縦方向の深さ寸法は装着用脚部２１の端面部２３と溝部１１の底面部１２との間の間隔寸法であるシール材充填間隙に相当する。シール材充填領域ＳＲにおける角棒状形成体の前記厚さ寸法より格段に小さい凹凸やリブが溝部に形成されていても、上述したシール材の伸縮作用の緩和効果は奏し得ないものである。
この構成により、装着用脚部２１の先端部分を幅広にすることにより装着用脚部２１の先端部分と前記溝部１１の底面部分との間にシール材充填領域ＳＲを設定することで、レンズ構成体の装着用脚部２１からのシール材の剥離を防ぐことにより、灯具本体の溝部１１とレンズ構成体の装着用脚部２１が大きく離れても、レンズ構成体の装着用脚部２１の動きにシール材３が追従することができ、レンズ構成体に設けた装着用脚部２１への外力の印加によるシール材の伸縮作用を緩和することにより灯具ボディ１からなる灯具本体とレンズ２からなるレンズ構成体のシール性を確保することができる。
【００４２】
また、この発明に係る実施の形態５では、図１０に示す通り、前項の構成において、前記装着用脚部２１に形成した幅広の先端部の側面にスリット２５を形成して前記シール材３が前記スリット２５に充填されるように構成したことを特徴とする。
この構成により、レンズ２からなるレンズ構成体と灯具ボディ１からなる灯具本体との組み付け作業の際に、レンズ構成体の装着用脚部２１に対しシール材３が確実に接着されていることを確認でき、組み付け作業を的確に遂行することができる。
【００４３】
以上のように、灯具ボディとレンズをホットメルトなどのシール材を介して結合する構造の車両用灯具において、灯具ボディの溝部に挿入されるレンズの凸部における底部の形状を工夫することにより、シール材がレンズの脚部の動きにシール材が追従することができ、灯具ボディとレンズのシール性を確保することができる。
【００４４】
なお、本発明は、その発明の範囲内において、各実施の形態の一部または全部を自由に組み合わせたり、各実施の形態を適宜、変形、省略することが可能である。本発明は、上記の発明の実施の形態および実施例の説明に何ら限定されるものではない。特許請求の範囲の記載を逸脱せず、当業者が容易に想定できる範囲で様々の変形形態もこの発明に含まれる。
【符号の説明】
【００４５】
１  灯具ボディ（灯具本体）
２  レンズ（レンズ構成体）
３  シール材
４  光源
５  光源４を制御する電子部品
６  光源４の発生させた光を調整する光学装置
１１  溝部
１２  溝部の底面部
１３  溝部の側面部
１４  凹部
２１  脚部
２２  脚部の端面部
２３  脚部の側面部
２４  凸部
２５  スリット
【図１】
2018113195.tif 000003
【図２】
2018113195.tif 000004
【図３】
2018113195.tif 000005
【図４】
2018113195.tif 000006
【図５】
2018113195.tif 000007
【図６】
2018113195.tif 000008
【図７】
2018113195.tif 000009
【図８】
2018113195.tif 000010
【図９】
2018113195.tif 000011
【図１０】
2018113195.tif 000012